(57)【要約】      （修正有）【課題】ＩＣタグリーダーを近づけることで、入力に係る時間を省き、故障や破損の原因を抑制することのできる洗車機システムの提供。【解決手段】ＩＣタグを車に付けたり自由に携帯可能な物に付けたりして、洗車機のメインパネル１０２と連動するＩＣタグリーダー２０７に近づけるだけで、人が入力を行なわなくても済む事により無駄な時間を省き、更には、設定した条件が洗車機にかけられている車の条件と異なる場合には、システムを一時停止させ、ユーザ（持ち主）或いは店の人に無線或いは有線で通信を行ない情報を通知する事で、故障や破損の原因を抑制する事が可能な洗車機システム。【選択図】図１
2005125825.tif 000002
【特許請求の範囲】
【請求項１】
門型状に形成された洗車機本体と自動車との相対移動に伴い洗車を行う洗車機システムであって、洗車コースやオプション条件等が登録可能なＩＣタグをメインパネルに近づけることで前記ＩＣタグ情報と連動して自動的に洗車を行なう事が可能なＩＣタグリーダ／ライタ制御を備えたことを特徴とする動作する洗車機システム。
【請求項２】
請求項１記載の洗車機システムであって、洗車機内に車体検出装置が具備されており、ＩＣタグに格納されている情報と車体検出により検知した情報に条件違いが発生した際には使用者に異常を知らせる事が可能なＩＣタグ情報と連動して動作する洗車機システム。
【請求項３】
請求項１及び請求項２記載の洗車機であって、異常が発生した際に洗車を中断し、使用者に異常を知らせる電子メール通信手段を具備し、使用者が前記電子メール通信手段から受け取ったメールに対して異常回避のデータを返信すると、中断した洗車の設定内容を自動変更し、洗車を継続できる事を特徴とした洗車機システム。
【発明の詳細な説明】
【技術分野】
【０００１】
本発明は、洗車機とＩＣタグ制御と電子メール通信手段とＩＣタグを利用した洗車機システムに関するものである。
【背景技術】
【０００２】
従来、車を洗車する場合には、洗車機に設置されているメインパネルより、洗車のコースや車の指定及び車のオプション設定（フロント、リヤ、ルーフ等の付属品装着状況等）を、利用者や店の人が押下して洗車の設定を行なっていた。
【発明の開示】
【発明が解決しようとする課題】
【０００３】
解決しようとする問題点は、利用者や店の人がいちいち押下して洗車の設定を行なっており面倒が生じていた。また、パネルの入力情報に設定に誤りが有り、車の破損を起こしたりするミス等も発生していた。
【課題を解決するための手段】
【０００４】
本発明は、ＩＣタグを車に付けたり自由に携帯可能な物に付けたりして、洗車機のメインパネルと連動するＩＣタグリーダーに近づけるだけで、人が入力を行なわなくても済む事により無駄な時間を省き、更には、設定した条件が洗車機にかけられている車の条件と異なる場合には、システムを一時停止させ、ユーザ（持ち主）或いは店の人に無線或いは有線で通信を行ない情報を通知する事で、故障や破損の原因を抑制する事が可能な洗車機システムを提供する事にある。
【発明の効果】
【０００５】
本発明は、ＩＣタグ情報が既に入力されている為、毎回毎回洗車する場合にメインパネルでデータをインプットしなくても済み、時間の節約と余計な手間が省けるという利点がある。また、洗車中に設定情報と実際の車の情報に誤差が生じた場合に、洗車を一時中断しＩＣタグ情報内に登録されている番号へ通信でデータを送る事で遠くに離れている利用者にいち早く異常を知らせる事が可能であり、機器の故障や車の破損を避けられるという利点がある。また、異常が発見され中断された場合に、利用者が洗車を続行する旨の指示をデータ通信により洗車機へ通知する事により、自動的に異常を回避し中断された場所から洗車し直す事が可能であり、異常の認識及び洗車の継続が遠隔地から可能となり時間の短縮が可能となるという利点がある。また、異常が検知された後「終了」通知をデータ通信で洗車機へ通信する事により、直ちに洗車を中止できる事により、車と洗車機に合った洗車が確実に行なえるようになるという利点がある。
【発明を実施するための最良の形態】
【０００６】
本発明は、洗車機とＩＣタグ制御と電子メール通信手段とＩＣタグを利用した洗車機システムを構成することで実現した。
【実施例１】
【０００７】
以下、図面を参照しながら説明する。図１に本発明にかかるＩＣタグを利用した洗車機システムの構成図の例である。本発明では、洗車機の種類は特に定めないが、１例として門型洗車機の場合について説明を行なう。１０１はガソリンスタンド等に設置されている物と同等の門型洗車機である。この洗車機の中に利用者が図のように車を入れ、洗車を行なう際に各種登録を行なう為のメインパネル１０２に、洗車情報が全て登録されているＩＣタグをメインパネルに近づける。具体的には、図２の２０７に近づける事で全ての設定が完了し、図２のメインパネルに設けられたスタートボタン２０４を押下する事で洗車が始まる。また、スタートを押下しなくても数秒で自動的に開始される。
【０００８】
ここで、門型洗車機には車の形を検知する検知器１０３が装備されており、洗車中に設定した情報とアンマッチが起きた際に、洗車を一時停止中にすること事で、そのまま洗車を行なってリヤに装備されているスポイラーやアンテナ等の破壊等を防ぐ。洗車機を自動停止させた後、ＩＣタグ情報に記載されている携帯電話等の連絡先にメール等により異常を知らせるデータを送信したり、管理事務所のメイン端末に異常を知らせたりする事で、直ちに対処が行なえるようにする。この際、異常を知らされた利用者が洗車機に対して応答を返せる状態になっており、ＰＣ画面に表示されている「ＮＯ」「ＹＥＳ」を押下する事で指定が行なえる。中止の際には「ＮＯ」データを送信し、エラー箇所を強制解除して洗車を続行する場合には「ＹＥＳ」データを返信する事により、遠隔地にいても異常状態の把握と洗車の指示を簡単に行なう事が可能となる。また、異常箇所の強制解除を指定した場合には、先に発見された異常箇所以外の箇所が検知されても強制解除を行い、洗車を続行する事が可能である。
【０００９】
図２は、洗車機の設定情報を入力するメインパネルの例である。メインパネルには、例として本洗車機を使用する際の仕様上の注意書きと、洗車機の洗車コース（例えば、水洗い、ＷＡＸ等）の第一設定画面２０２、リヤ、フロント、ルーフ等の装備品（オプション品）の設定（例えば、フロントスポイラーの装備やリヤスポイラーの装備、或いは天井灯の設置やスペアタイヤの有り無し等）更には洗車する車の車種の第２設定画面２０３（例えば、１ＢＯＸタイプや乗用車タイプ、ジープやミニジープタイプの選択等）と、スタートボタン２０４と投入金額や洗車開始から終る迄の残り時間の表示パネル２０５と、洗車を途中で止める為の非常停止ボタン２０６と、本発明に係るＩＣタグリーダ２０７とプリペイド式カードで料金を払う際にカードを挿入する為のカード挿入口２０８とコインを投入する為のコイン投入口２０９と、コインの返却を行なう為の返却ボタン２１０とで構成される。本発明は、前記ＩＣタグリーダに予めＩＣタグライタで情報を書込んであるＩＣタグを近づける事で、瞬時に情報を読み取り利用者が１つ１つ設定しなくとも済む様になる。ＩＣタグリーダの感知距離は近づいただけで反応してしまうと誤動作を及ぼす事が考えられるため、極力反応距離は短いＩＣタグリーダを使用する事が望ましい。
【００１０】
図３はＩＣタグをカードやキーホルダーに貼り付けた際の例である。洗車する場合に煩わしさをなくす為に、必ず持ち歩く運転免許証や車のキーに付けるキーホルダーにＩＣタグを貼付ける事が望ましい。
【００１１】
図４は、持ち歩き可能なＰＤＡ等のポータブルＰＣにＩＣタグリーダ／ライタを装着した例である。４０２はポータブルＰＣであり、何処へでも持ち運びを可能なものとし、必要な所でＩＣタグに情報を書込む事ができる様にする。４０１はＩＣタグリーダ／ライタであり、洗車情報データをＰＣで作成後、ライタにＩＣタグを近づける事で容易にデータをＩＣタグに書込む事が可能となる。
【００１２】
図５は洗車中に何らかの異常が発生した場合に、洗車機を止めて異常が有るままの状態での洗車を行なわないようにし、エラー内容を表示し誰の車にどのような異常が発生したのか直ぐに分かるようにする。この情報により、利用者が離れていたり、管理者が場所を離れていても確実に情報を得られ対処が可能となる。また、前記異常表示がされている際に、表示画面から「ＮＯ」「ＹＥＳ」の選択を行なう事と、「ＮＯ」が指定された場合には洗車機に対して洗車を中止する命令を行い、「ＹＥＳ」が指定されれば異常の箇所を回避してそのまま洗車を続行する命令を出す。ただし、その際には異常箇所のみの指定回避を行なうが、次の異常が検知された場合でも警告表示は行なわず、全て異常の箇所に対しては設定データをシステムが自動修正する。これにより利用者がわざわざメインパネルまで行きデータの再入力を行なう必要がなく、手間の係らない洗車機システムを提供できる。
【００１３】
また、ＩＣタグ情報に連絡先が格納されている場合には、例えば携帯電話であればメールにより異常情報のデータを送信し、利用者からの応答を待ち洗車を行なえるようになる。この場合には、洗車場から遠隔な場所にいても指示が可能な為更に利便性が良くなる。
【図面の簡単な説明】
【００１４】
【図１】本発明にかかるＩＣタグを利用した洗車機のシステム構成例。
【図２】洗車機のメインパネルの例。
【図３】ＩＣタグ貼付け例。
【図４】ＩＣタグリーダ／ライタとポータブルＰＣの接続例。
【図５】洗車中の異常検知通報時の表示画面例。
【符号の説明】
【００１５】
１０１    門型洗車機
１０２    メインパネル
１０３    検知器
２０１    利用方法表示
２０２    第１設定画面
２０３    第２設定画面
２０４    スタートボタン
２０５    表示パネル
２０６    非常停止ボタン
２０７    ＩＣタグリーダ
２０８    カード挿入口
２０９    コイン投入口
２１０    返却ボタン
【図１】
2005125825.tif 000003
【図２】
2005125825.tif 000004
【図３】
2005125825.tif 000005
【図４】
2005125825.tif 000006
【図５】
2005125825.tif 000007